(57)【要約】【課題】タッチパネルを操作する際に、ユーザーが煩わしく感じることを抑制することができる表示装置を提供する。【解決手段】表示装置４は、タッチパネル４１と、音声入力部４６と、制御部とを備える。タッチパネル４１は、アイコンを表示し、アイコンに対するタッチ操作を受け付ける。音声入力部４６は、音声が入力される。制御部は、音声入力部４６から入力された音声に基づいて、第１キーワードと、第２キーワードとを抽出する。アイコンには、記号と、記号の所在を示す所在情報とが関連付けられている。第１キーワードは、所在情報と関連付けられている。第２キーワードは、記号に対する処理を示す。制御部は、第１キーワードに関連付けられた所在情報が示す記号に対する処理を第２キーワードに基づいて決定する。【選択図】図１
2020170401.tif 000002
【特許請求の範囲】
【請求項１】
アイコンを表示し、前記アイコンに対するタッチ操作を受け付けるタッチパネルと、
音声が入力される音声入力部と、
前記音声入力部から入力された音声に基づいて、第１キーワードと、第２キーワードとを抽出する制御部と
を備え、
前記アイコンには、記号と、前記記号の所在を示す所在情報とが関連付けられており、
前記第１キーワードは、前記所在情報と関連付けられており、
前記第２キーワードは、前記記号に対する処理を示し、
前記制御部は、前記第２キーワードに基づいて、前記第１キーワードに関連付けられた前記所在情報が示す前記記号に対する前記処理を決定する、表示装置。
【請求項２】
前記制御部は、
複数の前記アイコンを表示するように、前記タッチパネルを制御し、
前記複数の前記アイコンのうちのタッチ操作された前記アイコンを前記複数の前記アイコンと異なるアイコンに変更するように、前記タッチパネルを制御する、請求項１に記載の表示装置。
【請求項３】
前記制御部は、タッチ操作された前記アイコンの色を前記複数の前記アイコンと異なる色に前記タッチパネルが変更するように、前記タッチパネルを制御する、請求項２に記載の表示装置。
【請求項４】
前記タッチパネルに表示された前記複数の前記アイコンのうちの２以上の前記アイコンがタッチ操作を受け付けた場合、前記制御部は、前記タッチパネルがタッチ操作を受け付けた前記２以上の前記アイコンの色をそれぞれ変更するように、前記タッチパネルを制御し、
前記２以上の前記アイコンの各々の色は、タッチ操作を受け付けた順番でそれぞれ異なる、請求項２または請求項３に記載の表示装置。
【請求項５】
前記制御部は、タッチ操作された前記アイコンにマークを表示するように、前記タッチパネルを制御する、請求項２から請求項４のいずれか１項に記載の表示装置。
【請求項６】
前記タッチパネルに表示された前記複数の前記アイコンのうちの２以上の前記アイコンがタッチ操作を受け付けた場合、前記制御部は、前記タッチパネルがタッチ操作を受け付けた前記２以上の前記アイコンの各々にマークを表示するように、前記タッチパネルを制御し、
前記２以上の前記アイコンの各々に表示された前記マークは、タッチ操作を受け付けた順番でそれぞれ異なる、請求項４または請求項５に記載の表示装置。
【請求項７】
前記２以上の前記アイコンの各々に表示された前記マークの色は、タッチ操作を受け付けた順番でそれぞれ異なる、請求項６に記載の表示装置。
【請求項８】
前記制御部は、前記音声入力部が入力された音声に基づいて、第３キーワードを抽出し、
前記第３キーワードは、前記アイコンの色、前記アイコンのマーク及び前記マークの前記色の少なくとも１つを含む、請求項３から請求項７のいずれか１項に記載の表示装置。
【請求項９】
前記制御部は、前記タッチパネルが複数の前記アイコンのうちの１以上のアイコンに対してタッチ操作を受け付ける場合、タッチ操作の順番を示すアイコンを表示するように、前記タッチパネルを制御する、請求項１から請求項８のいずれか１項に記載の表示装置。
【請求項１０】
請求項１から請求項９のいずれか１項に記載の表示装置と、
シートに画像を形成する画像形成部とを備える、画像形成装置。
【発明の詳細な説明】
【技術分野】
【０００１】
本発明は、表示装置及び画像形成装置に関する。
【背景技術】
【０００２】
特許文献１に記載のタッチパネル端末は、タッチパネルディスプレーと、座標取得部と、表示制御部と、データ読込部とを含む。タッチパネルディスプレーは、ユーザーからの入力を受け付ける。タッチパネルディスプレーは、テキストデータを表示する。座標取得部は、ユーザーの指が押下された押下位置の座標を取得する。表示制御部は、座標取得部の押下位置の座標に基づいて、テキストデータの表示位置を変更する。特許文献１のタッチパネル端末は、タッチパネルの表示領域内でのユーザーの指の座標とテキストデータの表示位置とを同期させることができる。
【先行技術文献】
【特許文献】
【０００３】
【特許文献１】特開２０１０−１９８４８３号公報
【発明の概要】
【発明が解決しようとする課題】
【０００４】
しかしながら、特許文献１に記載のタッチパネル端末では、目的の表示位置になるまで、何度もタッチ操作を行う必要がある。タッチ操作の回数が多くなる場合、ユーザーは煩わしさを感じる。
【０００５】
本発明は上記課題に鑑みてなされたものであり、タッチパネルを操作する際に、ユーザーが煩わしく感じることを抑制することができる表示装置及び画像形成装置を提供することを目的とする。
【課題を解決するための手段】
【０００６】
本発明に係る表示装置は、タッチパネルと、音声入力部と、制御部とを備える。前記タッチパネルは、アイコンを表示し、前記アイコンに対するタッチ操作を受け付ける。前記音声入力部は、音声が入力される。前記制御部は、前記音声入力部から入力された音声に基づいて、第１キーワードと、第２キーワードとを抽出する。前記アイコンには、記号と、前記記号の所在を示す所在情報とが関連付けられている。前記第１キーワードは、前記所在情報と関連付けられている。前記第２キーワードは、前記記号に対する処理を示す。前記制御部は、前記第２キーワードに基づいて、前記第１キーワードに関連付けられた前記所在情報が示す前記記号に対する前記処理を決定する。
【０００７】
本発明に係る画像形成装置は、上記表示装置と、画像形成部とを備える。前記画像形成部は、シートに画像を形成する。
【発明の効果】
【０００８】
本発明によれば、タッチパネルを操作する際にユーザーが煩わしく感じることを抑制することができる。
【図面の簡単な説明】
【０００９】
【図１】本発明の実施形態１に係る表示装置を示す図である。
【図２】本実施形態１の表示装置の構成を示すブロック図である。
【図３】本実施形態１の画面を表示したタッチパネルを示す図である。
【図４】本実施形態１の第２キーワードに基づいて決定された処理の一例を示す図である。
【図５】本実施形態１の第２キーワードに基づいて決定された処理の別の一例を示す図である。
【図６】本実施形態１の制御部が実行する処理を示すフローチャートである。
【図７】本実施形態１の制御部が実行する選択処理を示すフローチャートである。
【図８】本実施形態１の制御部が実行する抽出処理を示すフローチャートである。
【図９】本実施形態１の制御部が実行する決定処理を示すフローチャートである。
【図１０】本発明の実施形態２に係る表示装置を示す図である。
【図１１】本実施形態２の制御部が実行する選択処理を示すフローチャートである。
【図１２】本実施形態２の制御部が実行する選択処理を示すフローチャートである。
【図１３】実施形態２の制御部が実行する抽出処理を示すフローチャートである。
【図１４】本発明の実施形態３に係る表示装置を示す図である。
【図１５】本実施形態３の制御部が実行する選択処理を示すフローチャートである。
【図１６】実施形態３の制御部が実行する選択処理を示すフローチャートである。
【図１７】本発明の実施形態４に係る表示装置を備える画像形成装置を示す図である。
【発明を実施するための形態】
【００１０】
以下、本発明の実施形態について、図面を参照しながら説明する。なお、図中、同一または相当部分については同一の参照符号を付して説明を繰り返さない。
【００１１】
［実施形態１］
図１は、表示装置４を示す図である。表示装置４は、タッチパネル４１と、入力部４２と、音声入力部４６とを備える。タッチパネル４１は、画像を表示する。タッチパネル４１は、操作を受け付ける。タッチパネル４１は、ユーザーの指で操作される。表示装置４は、例えば、スマートフォン、携帯端末、画像形成装置の操作表示部である。
【００１２】
タッチパネル４１は、表示部４３と、タッチセンサー４５とを有する。
【００１３】
表示部４３は種々の画像を表示する。表示部４３は任意の画像を表示する。表示部４３は、例えば液晶表示装置（Ｌｉｑｕｉｄ  Ｃｒｙｓｔａａｌ  Ｄｉｓｐｌａｙ：ＬＣＤ）である。表示部４３は、矩形状である。表示部４３とタッチセンサー４５とは重ねて配置される。ユーザーは、タッチセンサー４５を介して表示部４３に表示された画像を視認できる。
【００１４】
タッチセンサー４５は、指の押下位置を検知する。指の押下は、例えば、タッチ操作の位置を示す。タッチ操作の位置は、例えば、タッチパネル４１に表示された画像の位置と対応する。また、タッチセンサー４５は、指の擦動を検知する。指の擦動は、例えば、スワイプ操作である。
【００１５】
入力部４２は、ユーザーからの操作を受け付ける。入力部４２は、ボタンである。ユーザーは、ボタンを押下することで、表示装置４に種々の操作を行える。
【００１６】
音声入力部４６は、音声が入力される。具体的には、ユーザーが発話した音声が音声入力部４６に入力される。音声入力部４６は、例えば、マイクである。マイクは、集音装置の一例である。
【００１７】
次に、図２を参照して、表示装置４の構成を更に詳しく説明する。図２は、表示装置４の構成を示すブロック図である。図２に示すように、表示装置４は、制御部４７と、通信部４８と、記憶部４９とを更に備える。
【００１８】
制御部４７は、タッチパネル４１、入力部４２、音声入力部４６、通信部４８、及び記憶部４９のような表示装置４の各要素を制御する。制御部４７は、ＣＰＵ（Ｃｅｎｔｒａｌ  Ｐｒｏｃｅｓｓｉｎｇ  Ｕｎｉｔ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなプロセッサー、及び記憶装置を含む。制御部４７は、タッチセンサー４５が出力したタッチ操作の位置を示す信号を受け取る。制御部４７は、音声入力部４６から出力した音声を示す信号を受け取る。
【００１９】
記憶部４９は、記憶装置を含み、データ及びコンピュータープログラムを記憶する。具体的には、記憶部４９は、半導体メモリーのような主記憶装置、並びに、半導体メモリー及び／またはハードディスクドライブのような補助記憶装置を含む。記憶部４９は、リムーバルメディアを含んでもよい。データは、画像、所在情報、及び音声パターンを含む。
【００２０】
記憶部４９に記憶される画像は、記号、画面及びアイコンを含む。記号は、ドキュメントに含まれる文字または文字列を示す。文字は、例えば、ドキュメントに含まれる文章と文章との区切りを示す「章」を含む。「章」は、例えば漢字または英語で表される。また、文字は、例えば、ドキュメントに含まれるページを示す「Ｐ」を含む。文字列は、例えば、ドキュメントに含まれる「第Ｎ章」を含む。「Ｎ」は、自然数を示す。文字列は、例えば、ドキュメントに含まれる「第Ｎ節」を含む。画面は、タッチパネル４１に表示される画面を示す。所在情報は、メタ情報を示す。例えば、メタ情報はページや目次のような記号の所在を示す。
【００２１】
記憶部４９に記憶される音声パターンは、テキスト情報である。音声パターンは、「このアイコン」、「Ｘ色」、「Ｎ番」「マークが表示されたアイコン」、「章」、「ＮＰ」、「第Ｎ章から第Ｎ章」、「第Ｎ節から第Ｎ節」、「ＮＰからＮＰ」、「表示」及び「印刷」等を含む。「Ｘ色」の「Ｘ」は、例えば色の名前である。音声パターンは、予めユーザーが記憶部４９に記憶させてもよい。
【００２２】
通信部４８は、ネットワークＮを介して、画像形成装置１００と通信する。通信部４８は、ネットワークＮを介して、例えば、画像形成装置１００に印刷ジョブを送信する。なお、画像形成装置１００は、画像形成部を備える。
【００２３】
引き続き図１〜図２を参照して、制御部４７について詳しく説明する。制御部４７は、タッチパネル４１と、音声入力部４６とを制御する。
【００２４】
制御部４７は、タッチパネル４１が画像を表示するように、タッチパネル４１を制御する。具体的には、制御部４７は、タッチパネル４１の表示部４３が画像を表示するように、タッチパネル４１の表示部４３を制御する。
【００２５】
また、制御部４７は、タッチパネル４１からタッチ位置を取得する。制御部４７は、表示部４３に表示した画像の位置とタッチ位置とに基づいて、操作された画像を特定する。
【００２６】
制御部４７は、音声入力部４６から入力される音声に基づいて、キーワードを抽出する。具体的には、制御部４７は、ユーザーの音声をデジタル信号に変換する。そして、制御部４７は、デジタル信号に基づいて、ユーザー音声に対応するテキスト情報を生成する。更に、制御部４７は、音声入力部４６から入力される音声を示すテキスト情報と、記憶部４９に記憶された音声パターンとが一致するか否かを判定する。そして、制御部４７は、音声パターンと一致する音声を示すテキスト情報をキーワードとして抽出する。
【００２７】
制御部４７が抽出するキーワードは、例えば、「このアイコン」、「赤色」、「黒色」、「１番」、「２番」、「丸」、「三角」、「赤色のマーク」、「黒色のマーク」、「章」、「ＮＰ」、「第Ｎ章から第Ｎ章」、「第Ｎ節から第Ｎ節」、「ＮＰからＮＰ」、「表示」及び「印刷」等を含む。
【００２８】
「章」、「ＮＰ」、「第Ｎ章から第Ｎ章」、「第Ｎ節から第Ｎ節」、及び「ＮＰからＮＰ」は、第１キーワードの一例に相当する。「表示」及び「印刷」は、第２キーワードの一例に相当する。「このアイコン」、「赤色」、「黒色」、「１番」、「２番」、「丸」、「三角」、「赤色のマーク」、「黒色のマーク」は、第３キーワードの一例に相当する。
【００２９】
次に、図１〜図３を参照して、タッチパネル４１について詳しく説明する。図３は、画面Ｐ１を表示したタッチパネル４１を示す図である。図３に示すように、画面Ｐ１をタッチパネル４１に表示する場合、制御部４７は、タッチパネル４１が画面Ｐ１を表示するように、タッチパネル４１を制御する。
【００３０】
図３に示す画面Ｐ１は、複数のアイコンを含む。複数のアイコンのうちの１つは、複数のドキュメントアイコン４３１である。タッチパネル４１は、複数のドキュメントアイコン４３１の各々に対するタッチ操作を受け付ける。複数のアイコンのうちの１つは、指示アイコン４３２である。指示アイコン４３２は、タッチ操作と音声操作とを受け付ける。複数のアイコンのうちの１つは、選択アイコン４３３である。ドキュメントアイコン４３１は、指示アイコン４３２より大きい画像である。
【００３１】
ドキュメントアイコン４３１は、例えば、ドキュメントを示す画像である。複数のドキュメントアイコン４３１の各々には、記号と、所在情報とが関連付けられている。
【００３２】
複数のドキュメントアイコン４３１のうちの１つは、第１ドキュメントアイコン４３１ａである。第１ドキュメントアイコン４３１ａは、第１ドキュメントを示す画像である。複数のドキュメントアイコン４３１のうちの１つは、第２ドキュメントアイコン４３１ｂである。第２ドキュメントアイコン４３１ｂは、第２ドキュメントを示す画像である。複数のドキュメントアイコン４３１のうちの１つは、第３ドキュメントアイコン４３１ｃである。第３ドキュメントアイコン４３１ｃは、第３ドキュメントを示す画像である。複数のドキュメントアイコン４３１のうちの１つは、第４ドキュメントアイコン４３１ｄである。第４ドキュメントアイコン４３１ｄは、第４ドキュメントを示す画像である。
【００３３】
指示アイコン４３２は、ドキュメントアイコン４３１に対する処理を決定するための画像である。例えば、指示アイコン４３２が「印刷」を示す画像である場合、指示アイコン４３２をタッチ操作することでドキュメントアイコン４３１に含まれる画像の印刷が決定される。
【００３４】
ドキュメントアイコン４３１に含まれる画像の印刷が決定された場合、通信部４８は、印刷ジョブを示す信号を画像形成装置１００に送信する。印刷ジョブには、ドキュメントアイコン４３１に含まれる画像をシートＰに形成する指示が含まれる。
【００３５】
選択アイコン４３３は、タッチ操作されたドキュメントアイコン４３１の近傍に表示される。例えば、第１ドキュメントアイコン４３１ａをタッチ操作する場合、第１ドキュメントアイコン４３１ａの近傍に表示される。選択アイコン４３３は、手の形を模した画像である。タッチ操作されたアイコンの近傍に、選択アイコン４３３を表示することで、タッチ操作されたアイコンとタッチ操作されていないアイコンとを容易に区別できる。
【００３６】
引き続き、図１〜図３を参照して、制御部４７が実行する処理を説明する。ドキュメントアイコン４３１に対するタッチ操作を受け付けた後に、制御部４７は、音声入力部４６に音声が入力されたか否かを判定する。音声入力部４６に音声が入力された場合、制御部４７は、音声入力部４６から入力された音声を取得する。そして、制御部４７は、音声入力部４６から入力された音声に基づいて、第１キーワードと、第２キーワードとを抽出する。第１キーワードは、所在情報と関連付けられる。第２キーワードは、記号に対する処理を示す。
【００３７】
制御部４７は、抽出した第１キーワードに関連付けられた所在情報を取得する。そして、制御部４７は、取得した所在情報が示す記号を取得する。更に、制御部４７は、前記第２キーワードに基づいて、第１キーワードに関連付けられた所在情報が示す記号に対する処理を決定する。タッチ操作したドキュメントアイコン４３１に対する音声操作を受け付けるため、タッチ操作で行っていた操作を音声で操作できる。したがって、タッチ操作の回数を減らすことができる。この結果、ユーザーが煩わしく感じることを抑制できる。
【００３８】
次に、図１〜図４を参照して、制御部４７が実行する処理を具体的に説明する。図４は、第２キーワードに基づいて決定された処理の一例を示す図である。図４の画面Ｐ１は、見本画像４３４を更に含む。見本画像４３４は、記号を含む画像である。図４に示すように、見本画像４３４は、例えば、タッチ操作されたドキュメントアイコン４３１の近傍に表示される。なお、見本画像４３４は、画面Ｐ１に表示されていればよい。また、見本画像４３４は、画面Ｐ１と異なる画面で表示されてもよい。画面Ｐ１と異なる画面は、見本画像４３４を表示するプレビュー画面である。
【００３９】
見本画像４３４を表示する場合、制御部４７は、音声入力部４６から入力された音声を取得する。制御部４７は、音声入力部４６から入力された音声に基づいて、第１キーワードと、第２キーワードとを抽出する。第１キーワードは、例えば、「第Ｎ章から第Ｎ章」を含む。第２キーワードは、例えば、「表示」を含む。
【００４０】
制御部４７は、抽出した第１キーワードの「第Ｎ章から第Ｎ章」に関連付けられた所在情報を取得する。そして、制御部４７は、取得した所在情報が示す記号を取得する。更に、制御部４７は、第２キーワードに基づいて、第１キーワードに関連付けられた所在情報が示す記号に対する処理を決定する。つまり、制御部４７は、タッチ操作されたドキュメントアイコン４３１の「第Ｎ章から第Ｎ章」を「表示」することを決定する。具体的には、図４に示すように、第１ドキュメントアイコン４３１ａの「第Ｎ章から第Ｎ章」を示す見本画像４３４がタッチパネル４１に表示される。したがって、タッチパネル４１に記号を示す画像を表示できる。この結果、ユーザーが所望する記号であるかの確認が容易となる。なお、第１キーワードに関連付けられた所在情報がない場合及び第２キーワードの処理が禁止されている場合、制御部４７は処理をキャンセルしてもよい。
【００４１】
次に、図１〜図５を参照して、制御部４７が実行する処理を更に具体的に説明する。図５は、第２キーワードに基づいて決定された処理の別の一例を示す図である。図５に示す指示アイコン４３２の近傍には、選択アイコン４３３が表示される。図５では、第２キーワードに基づいて決定された処理は、「印刷」である。
【００４２】
実行する処理を「印刷」に決定する場合、制御部４７は、音声入力部４６から入力された音声を取得する。制御部４７は、音声入力部４６から入力された音声に基づいて、第１キーワードと、第２キーワードとを抽出する。第１キーワードは、例えば、「第Ｎ節から第Ｎ節」を含む。第２キーワードは、例えば、「印刷」を含む。
【００４３】
制御部４７は、抽出した第１キーワードの「第Ｎ節から第Ｎ節」に関連付けられた所在情報を取得する。そして、制御部４７は、取得した所在情報が示す記号を取得する。更に、制御部４７は、第２キーワードに基づいて、第１キーワードに関連付けられた所在情報が示す記号に対する処理を決定する。具体的には、制御部４７は、タッチ操作されたドキュメントアイコン４３１の「第Ｎ節から第Ｎ節」を「印刷」することを決定する。そして、図５に示すように、制御部４７は、指示アイコン４３２の近傍に選択アイコン４３３をタッチパネル４１が表示するように、タッチパネル４１を制御する。したがって、音声で画像をシートＰに形成することを決定できる。この結果、タッチパネル４１に対する入力操作の煩わしさを軽減することができる。
【００４４】
また、図５の画面Ｐ１は、軌跡画像４３５を含む。軌跡画像４３５は、操作の順番を示す。軌跡画像４３５は、「タッチ操作の順番を示すアイコン」の一例に相当する。タッチ操作または音声操作によって、複数のアイコンが選択される場合、制御部４７は、タッチパネル４１が軌跡画像４３５を表示するように、タッチパネル４１を制御する。この結果、複数の画像を操作する際に、操作の順番を視認することが可能となり、ユーザーの利便性が向上する。
【００４５】
例えば、図５に示す第１ドキュメントアイコン４３１ａをタッチ操作する。制御部４７は、タッチ操作の位置とドキュメントアイコン４３１の表示位置とをタッチパネル４１から取得する。そして、制御部４７は、第１ドキュメントアイコン４３１ａがタッチ操作されたことを特定する。更に、制御部４７は、第１ドキュメントアイコン４３１ａの近傍に選択アイコン４３３を表示する。
【００４６】
そして、制御部４７は、音声入力部４６から入力された音声に基づいて、第１キーワードと、第２キーワードとを抽出する。第１キーワードは、例えば、「１０Ｐ〜２０Ｐ」を含む。第２キーワードは、例えば、「印刷」を含む。
【００４７】
制御部４７は、抽出した第１キーワードの「１０Ｐ〜２０Ｐ」に関連付けられた所在情報を取得する。そして、制御部４７は、取得した所在情報が示す記号を取得する。更に、制御部４７は、第２キーワードに基づいて、第１キーワードに関連付けられた所在情報が示す記号に対する処理を決定する。具体的には、制御部４７は、タッチ操作されたドキュメントアイコン４３１の「１０Ｐ〜２０Ｐ」を「印刷」することを決定する。そして、図５に示すように、制御部４７は、指示アイコン４３２の近傍に選択アイコン４３３をタッチパネル４１が表示するように、タッチパネル４１を制御する。更に、図５に示すように、制御部４７は、第１ドキュメントアイコン４３１ａから指示アイコン４３２までの軌跡画像４３５を表示する。
【００４８】
次に、図１〜図６を参照して、制御部４７が実行する処理を説明する。図６は、制御部４７が実行する処理のフローチャートを示す。制御部４７が実行する処理は、ステップＳ１０１〜ステップＳ１０５を含む。
【００４９】
ステップＳ１０１において、制御部４７は、画面Ｐ１を表示するか否かを判定する。画面Ｐ１を表示しない場合（ステップＳ１０１において、Ｎｏ）、処理はステップＳ１０１を繰り返す。画面Ｐ１を表示する場合、（ステップＳ１０１において、Ｙｅｓ）、処理はステップＳ１０２に進む。
【００５０】
ステップＳ１０１でＹｅｓの場合、ステップＳ１０２において、制御部４７は、タッチパネル４１が画面Ｐ１と複数のドキュメントアイコン４３１と指示アイコン４３２とを表示するように、タッチパネル４１を制御する。処理はステップＳ１０３に進む。
【００５１】
ステップＳ１０３において、制御部４７は選択処理を実行する。選択処理は、図７を参照して後述する。処理は、ステップＳ１０４に進む。
【００５２】
ステップＳ１０４において、制御部４７は、抽出処理を実行する。抽出処理は、図８を参照して後述する。処理は、ステップＳ１０５に進む。
【００５３】
ステップＳ１０５において、制御部４７は、決定処理を実行する。決定処理は、図９を参照して後述する。処理は、終了する。
【００５４】
次に、図６と図７とを参照して、選択処理を説明する。図７は、制御部４７が実行する選択処理を示すフローチャートである。制御部４７が実行する選択処理は、ステップＳ２０１〜ステップＳ２０４を含む。選択処理は、図６のステップＳ１０３に対応する。
【００５５】
ステップＳ２０１において、制御部４７は、タッチ操作の位置をタッチパネル４１から取得する。処理は、ステップＳ２０２に進む。
【００５６】
ステップＳ２０２において、制御部４７は、ドキュメントアイコン４３１の表示位置をタッチパネル４１から取得する。処理はステップＳ２０３に進む。
【００５７】
ステップＳ２０３において、制御部４７は、タッチ操作の位置とドキュメントアイコン４３１の表示位置とに基づいて、タッチ操作されたドキュメントアイコン４３１を特定する。処理は、ステップＳ２０４に進む。
【００５８】
ステップＳ２０４において、制御部４７は、タッチ操作されたドキュメントアイコン４３１の近傍に選択アイコン４３３を表示するように、タッチパネル４１を制御する。処理は、図６のステップＳ１０４に戻る。
【００５９】
次に、図６と図８を参照して、抽出処理を説明する。図８は、制御部４７が実行する抽出処理を示すフローチャートである。制御部４７が実行する抽出処理は、ステップＳ３０１〜ステップＳ３０５を含む。抽出処理は、図６のステップＳ１０４に対応する。
【００６０】
ステップＳ３０１において、制御部４７は、音声入力部４６に音声が入力されたか否かを判定する。音声入力部４６に音声が入力されていない場合（ステップＳ３０１において、Ｎｏ）、処理は、ステップＳ３０１を繰り返す。音声入力部４６に音声が入力された場合（ステップＳ３０１において、Ｙｅｓ）、処理はステップＳ３０２に進む。
【００６１】
ステップＳ３０２において、制御部４７は、入力された音声から第１キーワードを抽出する。処理はステップＳ３０３に進む。
【００６２】
ステップＳ３０３において、制御部４７は、第１キーワードに関連付けられた所在情報を取得する。処理は、ステップＳ３０４に進む。
【００６３】
ステップＳ３０４において、制御部４７は、取得した所在情報が示す記号を取得する。処理は、ステップＳ３０５に進む。
【００６４】
ステップＳ３０５において、制御部４７は、第２キーワードを抽出する。処理は、図６に示すステップＳ１０５に戻る。
【００６５】
次に、図６と図９とを参照して、制御部４７が実行する決定処理を説明する。図９は、制御部４７が実行する決定処理のフローチャートを示す図である。制御部４７が実行する決定処理は、ステップＳ４０１〜ステップＳ４０８を含む。決定処理は、図６に示すステップＳ１０５に対応する。
【００６６】
ステップＳ４０１において、制御部４７は、第２キーワードが記号を表示する指示を含むか否かを判定する。記号を表示する指示を含まない場合（ステップＳ４０１において、Ｎｏ）、処理はステップＳ４０３に進む。記号を表示する指示を含む場合（ステップＳ４０１において、Ｙｅｓ）、処理は、ステップＳ４０２に進む。
【００６７】
ステップＳ４０１でＮｏの場合、ステップＳ４０３において、制御部４７は、タッチパネル４１が記号を表示しないことを決定する。処理は、ステップＳ４０４に進む。
【００６８】
ステップＳ４０１でＹｅｓの場合、ステップＳ４０２において、制御部４７は、記号を含む見本画像４３４をタッチパネル４１に表示することを決定する。処理は、ステップＳ４０４に進む。
【００６９】
ステップＳ４０２またはステップＳ４０３の後に、ステップＳ４０４において、制御部４７は、第２キーワードが記号をシートＰに形成する指示を含むか否かを判定する。記号をシートＰに形成する指示を含まない場合（ステップＳ４０４において、Ｎｏ）、処理はステップＳ４０６に進む。記号をシートＰに形成する指示を含む場合（ステップＳ４０４において、Ｙｅｓ）、処理はステップＳ４０５に進む。
【００７０】
ステップＳ４０４でＮｏの場合、ステップＳ４０６において、制御部４７は記号をシートＰに形成しないことを決定する。処理は図６に示すフローチャートに戻る。
【００７１】
ステップＳ４０４でＹｅｓの場合、ステップＳ４０５において、制御部４７は、記号をシートＰに形成することを決定する。処理は、ステップＳ４０７に進む。
【００７２】
ステップＳ４０７において、制御部４７は、選択アイコン４３３を指示アイコン４３２の近傍にタッチパネル４１が表示するように、タッチパネル４１を制御する。
【００７３】
ステップＳ４０８において、制御部４７は、タッチパネル４１が軌跡画像４３５を表示するように、タッチパネル４１を制御する。処理は、図６に示すフローチャートに戻る。
【００７４】
［実施形態２］
次に、図１０を参照して、本発明の実施形態２を説明する。実施形態２の表示装置４は、タッチ操作されたドキュメントアイコン４３１の色をタッチ操作されていないドキュメントアイコン４３１と異なる色に変更する点と、複数のドキュメントアイコン４３１がタッチ操作された場合の処理とを含む点で実施形態１の表示装置４と異なる。なお、実施形態２では、実施形態１で説明した構成の説明を省略する。
【００７５】
図１０は、実施形態２の表示装置４を示す図である。図１０に示す画面Ｐ１には、複数のドキュメントアイコン４３１と、指示アイコン４３２と、選択アイコン４３３と、軌跡画像４３５とが表示される。第１ドキュメントアイコン４３１ａは、例えば、赤色でタッチパネル４１に表示される。第２ドキュメントアイコン４３１ｂと第３ドキュメントアイコン４３１ｃとは、例えば、黄色でタッチパネル４１に表示される。第４ドキュメントアイコン４３１ｄは、例えば、緑色でタッチパネル４１に表示される。選択アイコン４３３は、第１ドキュメントアイコン４３１ａの近傍に表示される。第１ドキュメントアイコン４３１ａの近傍に表示される選択アイコン４３３は、数字の「３」を示す番号を含む。軌跡画像４３５は、第１ドキュメントアイコン４３１ａから第４ドキュメントアイコン４３１ｄに向かう軌跡を含む。軌跡画像４３５は、第４ドキュメントアイコン４３１ｄから第１ドキュメントアイコン４３１ａに向かう軌跡を含む。
【００７６】
実施形態２の制御部４７は、タッチ操作されたドキュメントアイコン４３１を他のドキュメントアイコン４３１と異なるドキュメントアイコン４３１に変更する。具体的には、制御部４７は、複数のドキュメントアイコン４３１のうちのタッチ操作されたドキュメントアイコン４３１を複数のドキュメントアイコン４３１と異なるドキュメントアイコン４３１にタッチパネル４１が変更するように、タッチパネル４１を制御する。したがって、タッチ操作されたドキュメントアイコン４３１を他のドキュメントアイコン４３１と異なるドキュメントアイコン４３１に変更できる。この結果、タッチ操作されたドキュメントアイコン４３１とタッチ操作されていないドキュメントアイコン４３１とを容易に区別できる。
【００７７】
図１０に示すように、ドキュメントアイコン４３１の色を変更する場合、ドキュメントアイコン４３１をタッチ操作する。そして、実施形態２の制御部４７は、タッチ操作されたドキュメントアイコン４３１の色を複数のドキュメントアイコン４３１と異なる色に変更するように、タッチパネル４１を制御する。したがって、他のドキュメントアイコン４３１の色とタッチ操作されたドキュメントアイコン４３１の色とを異なる色にできる。この結果、タッチ操作されたドキュメントアイコン４３１とタッチ操作されていないドキュメントアイコン４３１とを容易に区別できる。
【００７８】
また、実施形態２の制御部４７は、タッチパネル４１に表示された複数のドキュメントアイコン４３１のうちの２以上のドキュメントアイコン４３１がタッチ操作を受け付けた場合、タッチパネル４１がタッチ操作を受け付けた２以上のドキュメントアイコン４３１の色をそれぞれ変更するように、タッチパネル４１を制御する。２以上のドキュメントアイコン４３１の各々の色は、タッチ操作を受け付けた順番でそれぞれ異なる。したがって、タッチ操作された順番でドキュメントアイコン４３１の色がそれぞれ異なる。この結果、タッチ操作したドキュメントアイコン４３１の順番の識別が容易となり、ユーザーの利便性が向上する。
【００７９】
例えば、図１０に示すように、第１ドキュメントアイコン４３１ａと第４ドキュメントアイコン４３１ｄとに対してタッチ操作を行う。制御部４７は、タッチ操作された第１ドキュメントアイコン４３１ａの色を「赤色」に変更する。タッチ操作された第１ドキュメントアイコン４３１ａの色は、第２ドキュメントアイコン４３１ｂの色と第３ドキュメントアイコン４３１ｃの色と第４ドキュメントアイコン４３１ｄの色とも異なる。
【００８０】
そして、制御部４７は、タッチ操作された第４ドキュメントアイコン４３１ｄの色を「緑色」に変更する。タッチ操作された第４ドキュメントアイコン４３１ｄの色は、第１ドキュメントアイコン４３１ａの色と第２ドキュメントアイコン４３１ｂの色と第３ドキュメントアイコン４３１ｃの色とも異なる。
【００８１】
したがって、１番目にタッチ操作された第１ドキュメントアイコン４３１ａの色と２番目にタッチ操作された第４ドキュメントアイコン４３１ｄの色とが互いに異なる。タッチ操作された順番でドキュメントアイコン４３１の色がそれぞれ異なるため、何番目にタッチ操作したドキュメントアイコン４３１かの識別が容易となる。
【００８２】
また、実施形態２の制御部４７は、音声入力部４６から入力された音声に基づいて、第３キーワードを抽出する。第３キーワードは、タッチ操作されたドキュメントアイコン４３１の色を含む。したがって、ドキュメントアイコン４３１の色に基づいて、音声でドキュメントアイコン４３１を操作できる。この結果、同じ色のドキュメントアイコン４３１の全てに同じ操作がされてしまうことを抑制できる。また、ドキュメントアイコン４３１を操作する際の、ユーザーの利便性が向上する。
【００８３】
また、タッチパネル４１が複数のドキュメントアイコン４３１のうちの１つ以上のドキュメントアイコン４３１に対してタッチ操作を受け付ける場合、タッチ操作された順番を示す数字を選択アイコン４３３に表示してもよい。選択アイコン４３３にタッチ操作された順番を示す数字を表示することで、操作順をユーザーに通知できる。この結果、操作順をユーザーが把握できるので、ユーザーの利便性が向上する。
【００８４】
例えば、最初に第１ドキュメントアイコン４３１ａがタッチ操作される場合、制御部４７は、第１ドキュメントアイコン４３１ａの近傍に選択アイコン４３３を表示する。第１ドキュメントアイコン４３１ａの近傍に表示された選択アイコン４３３は、タッチ操作された順番を示す数字を含む。タッチ操作された順番を示す数字は、「タッチ操作の順番を示すアイコン」の一例に相当する。数字は、例えば「１」である。
【００８５】
次に、選択アイコン４３３に数字の「１」を表示した状態で、第４ドキュメントアイコン４３１ｄがタッチ操作される場合、制御部４７は、第４ドキュメントアイコン４３１ｄの近傍に選択アイコン４３３を表示する。第４ドキュメントアイコン４３１ｄの近傍に表示された選択アイコン４３３は、タッチ操作された順番を示す数字を含む。数字は、例えば「２」である。
【００８６】
また、選択アイコン４３３に数字の「２」を表示した状態で、再び第１ドキュメントアイコン４３１ａをタッチ操作する場合、第１ドキュメントアイコン４３１ａの近傍に表示される選択アイコン４３３の数字を「３」としてもよい。したがって、同じドキュメントに対して複数の処理を実行することができる。この結果、タッチパネル４１を操作するときの、ユーザーの利便性が向上する。例えば、最初の操作で第１ドキュメントアイコン４３１ａのうちの一部をタッチパネル４１に表示させ、次の操作で第１ドキュメントアイコン４３１ａのうちの一部を印刷するような指示が可能となる。
【００８７】
また、タッチ操作された順番を示す数字を選択アイコン４３３に表示する場合、第３キーワードは、選択アイコン４３３の順番を示す数字を含んでもよい。例えば、第３キーワードは、「１番」を含む。例えば、第３キーワードは、「２番」を含む。制御部４７は、第３キーワードに基づいて、操作するドキュメントアイコン４３１を決定する。したがって、ドキュメントアイコン４３１の近傍に表示された選択アイコン４３３の番号に基づいて、音声でドキュメントアイコン４３１を操作できる。この結果、ドキュメントアイコン４３１を操作する際の、ユーザーの利便性が向上する。
【００８８】
次に、図１１と図１２とを参照して、実施形態２の制御部４７が実行する選択処理を説明する。図１１は、実施形態２の制御部４７が実行する選択処理のフローチャートを示す図である。図１２は、実施形態２の制御部４７が実行する選択処理のフローチャートの続きを示す図である。図１１と図１２とに示す選択処理は、ステップＳ５０１〜ステップＳ５１５を含む。なお、図１１と図１２とに示す、ステップＳ５０１〜ステップＳ５０４及びステップＳ５０８〜ステップＳ５１１は、図７に示すステップＳ２０１〜ステップＳ２０４と同じ内容であるため、説明を省略する。したがって、ステップＳ５０６、ステップＳ５０７、ステップＳ５１１〜ステップＳ５１５を説明する。
【００８９】
ステップＳ５０５において、制御部４７は、タッチ操作されたドキュメントアイコン４３１の近傍に表示された選択アイコン４３３に番号を表示する。処理は、ステップＳ５０６に進む。
【００９０】
ステップＳ５０６において、制御部４７は、タッチ操作されたドキュメントアイコン４３１の色を、他のドキュメントアイコン４３１と異なる色に変更する。処理は、ステップＳ５０７に進む。
【００９１】
ステップＳ５０７において、制御部４７は、タッチパネル４１が他の位置でタッチ操作を検出したか否かを判定する。他の位置でタッチ操作を検出しない場合（ステップＳ５０６において、Ｎｏ）、処理は、戻る。他の位置でタッチ操作を検出した場合（ステップＳ５０６において、Ｙｅｓ）、処理は、ステップＳ５０８に進む。
【００９２】
ステップＳ５１１において、制御部４７は、タッチ操作されたドキュメントアイコン４３１の近傍に選択アイコン４３３を表示する。処理は、ステップＳ５１２に進む。
【００９３】
ステップＳ５１２において、制御部４７は、タッチ操作されたドキュメントアイコン４３１の近傍に表示された選択アイコン４３３に番号を表示する。処理は、ステップＳ５１３に進む。
【００９４】
ステップＳ５１３において、制御部４７は、タッチ操作されたドキュメントアイコン４３１からタッチ操作されたドキュメントアイコン４３１までの軌跡を示す軌跡画像４３５を表示する。処理は、ステップＳ５１４に進む。
【００９５】
ステップＳ５１４において、制御部４７はタッチ操作されたドキュメントアイコン４３１を、他のドキュメントアイコン４３１と異なる色に変更する。処理は、ステップＳ５１５に進む。
【００９６】
ステップＳ５１５において、制御部４７は、他の位置でタッチ操作を検出したか否かを判定する。他の位置でタッチ操作を検出した場合（ステップＳ５１５において、Ｙｅｓ）、処理は、ステップＳ５０８に戻る。他の位置でタッチ操作を検出しない場合（ステップＳ５１５において、Ｎｏ）、処理は、戻る。
【００９７】
次に、図１３を参照して実施形態２の制御部４７が実行する抽出処理を説明する。図１３は、実施形態２の制御部４７が実行する抽出処理のフローチャートを示す図である。実施形態２の制御部４７が実行する抽出処理は、ステップＳ６０１〜ステップＳ６０８を含む。ステップＳ６０１とステップＳ６０４〜ステップＳ６０７は、図８に示すステップＳ３０１〜ステップＳ３０５と同じ内容なため、説明を省略する。したがって、ステップＳ６０２とステップＳ６０３とステップＳ６０８とを説明する。
【００９８】
ステップＳ６０１でＹｅｓの場合、ステップＳ６０２において、制御部４７は、音声入力部４６から入力された音声に基づいて、第３キーワードを抽出する。処理は、ステップＳ６０３に進む。
【００９９】
ステップＳ６０３において、制御部４７は、第３キーワードに基づいて、操作するドキュメントアイコン４３１を決定する。処理はステップＳ６０４に進む。
【０１００】
ステップＳ６０８において、制御部４７は、音声入力部４６に音声が入力されたか否かを判定する。音声入力部４６に音声が入力されていない場合（ステップＳ６０８において、Ｎｏ）、処理は、戻る。音声入力部４６に音声が入力された場合（ステップＳ６０８において、Ｙｅｓ）、処理はステップＳ６０４に戻る。
【０１０１】
［実施形態３］
次に、図１４を参照して、本発明の実施形態３を説明する。実施形態３の表示装置４は、タッチ操作されたドキュメントアイコン４３１にマーク４３６を表示する点で実施形態１の表示装置４と実施形態２の表示装置４とも異なる。なお、実施形態３では、実施形態１及び実施形態２で説明した構成の説明を省略する。
【０１０２】
図１４は、実施形態３の表示装置４を示す図である。図１４に示す画面Ｐ１には、複数のドキュメントアイコン４３１と、指示アイコン４３２と、選択アイコン４３３と、軌跡画像４３５とが表示される。第１ドキュメントアイコン４３１ａには、図形のようなマーク４３６が表示される。マーク４３６は、例えば、黒色の「〇」である。第２ドキュメントアイコン４３１ｂには、マーク４３６が表示される。マーク４３６は、例えば、黒色の「△」である。第１ドキュメントアイコン４３１ａのマーク４３６と第２ドキュメントアイコン４３１ｂのマーク４３６とは、異なる。第４ドキュメントアイコン４３１ｄには、マーク４３６が表示される。マーク４３６は、例えば、赤色の「〇」である。第４ドキュメントアイコン４３１ｄのマーク４３６の色は、第１ドキュメントアイコン４３１ａのマーク４３６と第２ドキュメントアイコン４３１ｂとも、異なる。軌跡画像４３５は、第１ドキュメントアイコン４３１ａから第２ドキュメントアイコン４３１ｂに向かう軌跡を含む。軌跡画像４３５は、第２ドキュメントアイコン４３１ｂから第４ドキュメントアイコン４３１ｄに向かう軌跡を含む。
【０１０３】
図１４に示すように、ドキュメントアイコン４３１にマーク４３６を表示する場合、ドキュメントアイコン４３１をタッチ操作する。そして、実施形態３の制御部４７は、タッチパネル４１がタッチ操作されたドキュメントアイコン４３１にマーク４３６を表示するように、タッチパネル４１を制御する。したがって、他のドキュメントアイコン４３１とタッチ操作されたドキュメントアイコン４３１とを容易に区別できる。
【０１０４】
例えば、タッチ操作されたドキュメントアイコン４３１にマーク４３６を表示する場合、図１４に示すように、第１ドキュメントアイコン４３１ａに対してタッチ操作を行う。制御部４７は、タッチ操作された第１ドキュメントアイコン４３１ａに「〇」を表示するように、タッチパネル４１を制御する。「〇」は、マーク４３６の一例を示す。
【０１０５】
また、実施形態３の制御部４７は、タッチパネル４１に表示された複数のドキュメントアイコン４３１のうちの２以上のドキュメントアイコン４３１がタッチ操作を受け付けた場合、タッチパネル４１がタッチ操作を受け付けた２以上のドキュメントアイコン４３１の各々にマーク４３６を表示するように、タッチパネル４１を制御する。２以上のドキュメントアイコン４３１の各々に表示されたマーク４３６は、タッチ操作を受け付けた順番でそれぞれ異なる。したがって、タッチ操作された順番でドキュメントアイコン４３１に表示されるマーク４３６が異なる。この結果、タッチ操作したドキュメントアイコン４３１の順番の識別が容易となり、ユーザーの利便性が向上する。
【０１０６】
例えば、図１４に示すように、第１ドキュメントアイコン４３１ａと第２ドキュメントアイコン４３１ｂとに対してタッチ操作を行う。制御部４７は、タッチ操作された第１ドキュメントアイコン４３１ａと第２ドキュメントアイコン４３１ｂとのそれぞれにマーク４３６を表示するように、タッチパネル４１を制御する。具体的には、制御部４７は、第１ドキュメントアイコン４３１ａに「〇」を示すマーク４３６を表示する。制御部４７は、第２ドキュメントアイコン４３１ｂに「△」を示すマーク４３６を表示する。したがって、第１ドキュメントアイコン４３１ａのマーク４３６と第２ドキュメントアイコン４３１ｂのマーク４３６とが互いに異なる。タッチ操作された順番でドキュメントアイコン４３１のマーク４３６がそれぞれ異なるため、何番目にタッチ操作したドキュメントアイコン４３１かの識別が容易となる。
【０１０７】
また、実施形態３の制御部４７は、タッチパネル４１に表示された複数のドキュメントアイコン４３１のうちの２以上のドキュメントアイコン４３１がタッチ操作を受け付けた場合、タッチパネル４１がタッチ操作を受け付けた２以上のドキュメントアイコン４３１の各々にマーク４３６を表示するように、タッチパネル４１を制御する。２以上のドキュメントアイコン４３１の各々に表示されたマーク４３６の色は、タッチ操作を受け付けた順番でそれぞれ異なる。
【０１０８】
例えば、図１４に示すように、第１ドキュメントアイコン４３１ａと第３ドキュメントアイコン４３１ｃとに対してタッチ操作を行う。制御部４７は、タッチ操作された第１ドキュメントアイコン４３１ａと第３ドキュメントアイコン４３１ｃとのそれぞれにマーク４３６を表示するように、タッチパネル４１を制御する。具体的には、制御部４７は、第１ドキュメントアイコン４３１ａに黒色の「〇」を示すマーク４３６を表示する。具体的には、制御部４７は、第３ドキュメントアイコン４３１ｃに赤色の「〇」を示すマーク４３６を表示する。したがって、第１ドキュメントアイコン４３１ａのマーク４３６の色と第３ドキュメントアイコン４３１ｃのマーク４３６の色とが互いに異なる。タッチ操作された順番でドキュメントアイコン４３１のマーク４３６がそれぞれ異なるため、タッチ操作したドキュメントアイコン４３１の順番の識別が容易となり、ユーザーの利便性が向上する。
【０１０９】
また、実施形態３の制御部４７は、音声入力部４６から入力された音声に基づいて、第３キーワードを抽出する。第３キーワードは、ドキュメントアイコン４３１に表示されたドキュメントアイコン４３１の色、マーク４３６及びマーク４３６の色を含む。したがって、ドキュメントアイコン４３１に表示されたマーク４３６に基づいて、音声でドキュメントアイコン４３１を操作できる。この結果、ドキュメントアイコン４３１を操作する際の、ユーザーの利便性が向上する。
【０１１０】
例えば、第３キーワードは、「マーク」を含む。例えば、第３キーワードは、「黒色のマーク」を含む。制御部４７は、第３キーワードに基づいて、操作するファイルを決定する。この結果、ドキュメントアイコン４３１の１つ１つに対して、ユーザーの望む処理を実行できる。
【０１１１】
次に、図１５と図１６とを参照して、実施形態３の制御部４７が実行する選択処理を説明する。図１５は、実施形態３の制御部４７が実行する選択処理のフローチャートを示す図である。図１６は、実施形態３の制御部４７が実行する選択処理のフローチャートの続きを示す図である。図１５と図１６とに示す選択処理は、ステップＳ７０１〜ステップＳ７１５を含む。なお、図１５と図１６とに示す、ステップＳ７０１〜ステップＳ７０５、ステップＳ７０７〜ステップＳ７１３、及びステップＳ７１５は、図１１と図１２とに示すステップＳ５０１〜ステップＳ５０５、ステップＳ５０７〜ステップＳ５１３、及びステップＳ５１５と同じ内容であるため、説明を省略する。したがって、ステップＳ７１４のみを説明する。
【０１１２】
ステップＳ７１４において、制御部４７は、マーク４３６を表示したドキュメントアイコン４３１と異なるマーク４３６をタッチ操作されたドキュメントアイコン４３１に表示する。処理は、ステップＳ７１５に進む。
【０１１３】
［実施形態４］
次に、図１７を参照して、本発明の実施形態４を説明する。実施形態４は、表示装置４が画像形成装置１００に取付けられる点で、実施形態１〜実施形態３と異なる。実施形態３の表示装置４は、画像形成装置１００に取付けられる。表示装置４は、画像形成装置１００の操作表示部であり得る。なお、実施形態４では、実施形態１〜実施形態３で説明した構成の説明を省略する。
【０１１４】
図１７は、実施形態４の表示装置４を備える画像形成装置１００を示す図である。図１７に示す画像形成装置１００は、画像形成ユニット１、画像読取ユニット２、原稿搬送ユニット３、及び表示装置４を備える。画像形成ユニット１は、シートＰに画像を形成する。画像読取ユニット２は、原稿Ｒに形成された画像を読み取り、画像を示す画像データを生成する。原稿搬送ユニット３は、原稿Ｒを画像読取ユニット２に搬送する。
【０１１５】
表示装置４は、例えば、画像形成装置１００の操作表示部である。表示装置４の具体的な構成は、実施形態１と同様のため、説明を省略する。
【０１１６】
画像形成ユニット１は、搬送機構１１、給送部１２、画像形成部１４、定着部１５、排出部１６及び排気装置２０を備える。画像形成ユニット１は、搬送路Ｌを有する。搬送路Ｌは、給送部１２から排出部１６までシートＰを案内する。搬送路Ｌは、給送部１２から排出部１６まで延びる。
【０１１７】
搬送機構１１は、シートＰを搬送する。
【０１１８】
給送部１２は、シートＰを搬送路Ｌへ供給する。シートＰは、例えば、普通紙、コピー紙、再生紙、薄紙、厚紙、または光沢紙、またはＯＨＰ（Ｏｖｅｒｈｅａｄ  Ｐｒｏｊｅｃｔｏｒ）シートである。
【０１１９】
画像形成部１４は、画像をシートＰに形成する。
【０１２０】
定着部１５は、シートＰを加熱及び加圧し、シートＰに形成された画像をシートＰに定着する。
【０１２１】
排出部１６は、シートＰを画像形成装置１００の外部へ排出する。定着部１５がトナー画像をシートＰに定着させた後、搬送機構１１はシートＰを定着部１５から排出部１６まで搬送する。そして、排出部１６はトナー画像の定着したシートＰを画像形成装置１００の外部に排出する。
【０１２２】
制御部２１は、画像形成装置１００の動作を制御する。制御部２１は、プロセッサーと記憶部とを備える。プロセッサーは、例えばＣＰＵを備える。記憶部は、半導体メモリーのようなメモリーを備え、ＨＤＤ（Ｈａｒｄ  Ｄｉｓｋ  Ｄｒｉｖｅ）を備えてもよい。記憶部は、制御プログラムを記憶している。プロセッサーは、制御プログラムを実行して、搬送機構１１、給送部１２、画像形成部１４、定着部１５、排出部１６、記憶部２２及び通信部２３を制御する。
【０１２３】
記憶部２２は、記憶装置を含み、データ及びコンピュータープログラムを記憶する。具体的には、記憶部２２は、半導体メモリーのような主記憶装置、並びに、半導体メモリー及び／またはハードディスクドライブのような補助記憶装置を含む。記憶部２２は、リムーバルメディアを含んでもよい。データは、画像、所在情報、及び音声パターンを含む。
【０１２４】
通信部２３は、ネットワークＮ（図示せず）を介して、他の表示装置４と通信する。例えば、通信部２３は、ネットワークＮを介して、実施形態１の表示装置４の通信部４８と通信する。通信部２３は、ネットワークＮを介して、例えば、印刷ジョブを受信する。受信した印刷ジョブは、制御部２１に送信される。制御部２１は、印刷ジョブに基づいて、画像形成部１４がシートＰに画像を形成するように、画像形成部１４を制御する。
【０１２５】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【０１２６】
（１）実施形態４では、画像形成装置１００がモノクロ複写機であるが、本発明はこれに限定されない。画像形成装置がシートＰにトナー像を形成すればよい。画像形成装置が、例えば、カラープリンターでもよい。また、画像形成装置が、例えば、カラー複合機でもよい。また、画像形成装置が、例えばインクジェット記録装置でもよい。
【０１２７】
（２）本実施形態２では、ドキュメントアイコン４３１の色を変更したが、本発明はこれに限らない。例えば、色を変更したドキュメントアイコン４３１に実施形態３のマーク４３６を表示してもよい。また、色を変更したドキュメントアイコン４３１に実施形態３の色を変更したマーク４３６を表示してもよい。この結果、タッチ操作したドキュメントアイコン４３１の順番の識別が容易となり、ユーザーの利便性が向上する。
【産業上の利用可能性】
【０１２８】
本発明は、表示装置及び画像形成装置の分野に利用可能である。
【符号の説明】
【０１２９】
４        表示装置
１４      画像形成部
４１      タッチパネル
４２      入力部
４３      表示部
４５      タッチセンサー
４６      音声入力部
４７      制御部
４８      通信部
１００    画像形成装置
４３１    ドキュメントアイコン（アイコン）
４３２    指示アイコン
４３３    選択アイコン
４３５    軌跡画像
４３６    マーク
Ｐ        シート
【図１】
2020170401.tif 000003
【図２】
2020170401.tif 000004
【図３】
2020170401.tif 000005
【図４】
2020170401.tif 000006
【図５】
2020170401.tif 000007
【図６】
2020170401.tif 000008
【図７】
2020170401.tif 000009
【図８】
2020170401.tif 000010
【図９】
2020170401.tif 000011
【図１０】
2020170401.tif 000012
【図１１】
2020170401.tif 000013
【図１２】
2020170401.tif 000014
【図１３】
2020170401.tif 000015
【図１４】
2020170401.tif 000016
【図１５】
2020170401.tif 000017
【図１６】
2020170401.tif 000018
【図１７】
2020170401.tif 000019